(57)【要約】【課題】  ランニングコストを大幅に低減可能なサウナ施設を提供する。【解決手段】  化石燃料を燃焼させることにより炉１内で岩石を加熱し、その岩石をサウナ室内に移動することにより、サウナ室内を暖めるサウナ施設であって、炉１から排出される排気ガスを炉１外へ導く煙道３が、炉１に接続して設けられ、煙道３の途中に、排気ガスと水との熱を交換する熱交換器３２が設けられ、熱交換器３２内で温められた水を用いて床暖房とボイラー４６の補助とを行うサウナ施設。【選択図】  図４
2006055288.tif 000002
【特許請求の範囲】
【請求項１】
化石燃料を燃焼させることにより炉内で岩石を加熱し、前記岩石をサウナ室内に移動することにより、前記サウナ室内を暖めるサウナ施設であって、
前記炉から排出される排気ガスを炉外へ導く煙道が、前記炉に接続して設けられ、
前記煙道の途中に、前記排気ガスと流体との熱を交換する熱交換器が設けられ、
前記流体を用いて、暖房またはボイラーの補助の少なくとも一方を行う
ことを特徴とするサウナ施設。
【発明の詳細な説明】
【技術分野】
【０００１】
本発明は、サウナ施設に関し、特にランニングコストを低減できるサウナ施設に関する。
【背景技術】
【０００２】
サウナ施設の一種に、炉内で加熱した岩石をサウナ室内に移動してサウナ室内を暖める火釜（ぷるかま）サウナがあり、従来の火釜サウナでは、岩石を電気で加熱していた。
【０００３】
なお、先行技術文献調査は行っていないので、記載すべき先行技術文献情報は無い。
【発明の開示】
【発明が解決しようとする課題】
【０００４】
しかし、従来の火釜サウナは、岩石を加熱するのに、高価な電力を用いているため、ランニングコストが高いという問題があった。
【０００５】
そこで、岩石を灯油、軽油、重油等の化石燃料を燃焼させることにより加熱すれば、化石燃料は電力に比べて安いため、ランニングコストを低減することができるが、サウナ施設には、休憩室等の暖房や、温水浴、シャワー等のための給湯も必要であり、これらについては依然ランニングコストが掛かるため、更なるランニングコストの低減が望まれていた。
【０００６】
この発明は、上述した問題を解決するものであり、ランニングコストを大幅に低減可能なサウナ施設を提供することを目的とする。
【課題を解決するための手段】
【０００７】
本発明のサウナ施設は、化石燃料を燃焼させることにより炉内で岩石を加熱し、前記岩石をサウナ室内に移動することにより、前記サウナ室内を暖めるサウナ施設であって、前記炉から排出される排気ガスを炉外へ導く煙道が、前記炉に接続して設けられ、前記煙道の途中に、前記排気ガスと流体との熱を交換する熱交換器が設けられ、前記流体を用いて、暖房またはボイラーの補助の少なくとも一方を行うことを特徴とする。
【０００８】
なお、化石燃料には、灯油、重油、軽油等の鉱物油の他、天然ガスや石炭も含まれる。
【発明の効果】
【０００９】
本発明のサウナ施設によれば、比較的安価な化石燃料を用いて岩石を加熱するのみならず、化石燃料の燃焼時に生じる排気ガスの熱を利用して、暖房またはボイラーの補助の少なくとも一方を行うので、ランニングコストを大幅に低減可能である。
【発明を実施するための最良の形態】
【００１０】
以下、本発明の一実施形態を図面に基づいて説明する。
【００１１】
本実施形態のサウナ施設は、図１〜３に示すように、炉１、煙道３、台車５、及び、サウナ室７を有し、さらに、図４に示すように、熱交換器３２、熱交換器４５、及び、床暖房装置６３を有している。
【００１２】
炉１は、鉄や耐熱タイル等の耐熱部材で形成され、上壁１２、下壁１３、前壁１４、後壁１５、及び、左右の側壁１６、１６を有する部屋状をなしている。前壁１４には扉体１７が設けられ、扉体１７は、炉１の上方に設けられたギアードモータ１８にワイヤーで連結されて、ギアードモータ１８の駆動により上下に移動し、前壁１４に形成された出入口１９を開閉する。上壁１２には、複数の排気口２０が形成されており、各排気口２０は、炉１の上方に配設された管状の煙道３に接続されている。左右の側壁１６、１６には、それぞれ複数のバーナー２１が配設されている。各バーナー２１は、灯油を燃焼させる灯油式バーナーである。下壁１３の上面には、レール２２が敷設されている。レール２２は、出入口１９、及び、炉１とサウナ室７との間の仕切壁９の下部に設けられた開口部を通って、サウナ室７まで延設されている。
【００１３】
レール２２上には、ステンレス等の耐熱部材で形成された台車５が配置されている。台車５は、底板部５１の下側に複数の車輪５２が配設され、車輪５２はレール２２に嵌合されている。底板部５１の上側には、上方が開放された籠状の岩石収納部５３が設けられている。岩石収納部５３には、岩石（本実施形態では溶岩）５５が多数収納されている。台車５は、炉１の後方に設けられたギアードモータ５４に図示しないワイヤーで連結され、ギアードモータ５４の駆動によりレール２２上を移動する。
【００１４】
煙道３には、炉１内で発生した排気ガスを引き込むためのシロッコファン３１が配設されている。シロッコファン３１よりも下流の煙道３の途中には、図４に示すように、熱交換器３２が設けられている。熱交換器３２は、煙道３を流れる排気ガスと流体（本実施形態では水）との熱交換を行うものであり、排気ガスの熱を奪って水を温める。熱交換器３２を通過した排気ガスは、煙道３の排気吐出口３３から炉１外へ排出される。煙道３には、熱交換器３２を迂回するバイパス３４が設けられている。煙道３には、熱交換器３２の入口付近に弁３５が、バイパス３４の入口付近に弁３６が、それぞれ設けられており、弁３５、３６により、熱交換器３２を通る排気ガスの量と、バイパス３４を通る排気ガスの量とが調整される。
【００１５】
熱交換器３２内には、排気ガスによって温められる水の流路４１が形成されている。流路４１は、熱交換器３２外に延設されて、熱交換器４５、ヘッダー６１、床暖房装置６３、ヘッダー６４を経て、再び熱交換器３２に戻るように形成されている。図４中、符号８１、８２、８３は、流路４１を構成する管であり、符号８４、８５、８６、８７は、管８１、８２、８３に配設された弁である。管８１には、水温を検知する温度センサー４２が配設され、管８２には、水温を検知する温度センサー４３と、水を循環させるための循環ポンプ４４とが配設され、管８３には、水を循環させるための循環ポンプ４９が配設されている。
【００１６】
熱交換器４５は、流路４１を流れる温水とボイラー４６に流入される水との熱交換を行い、ボイラー４６に流入される水を温めるものである。図４中、符号４７は、ボイラー４６で加熱される前の水を熱交換器４５に導く管であり、符号４８は、熱交換器４５を経た水をボイラー４６に戻す管である。
【００１７】
流路４１は、ヘッダー６１により複数の分岐管６２に分岐される。各分岐管６２は休憩室等の床下に延設され、床暖房装置６３を構成する。複数の分岐管６２に分岐された流路４１は、ヘッダー６４により管８３に集められ、熱交換器３２に戻る。
【００１８】
以上のように構成されたサウナ施設の作用について、次に説明する。
【００１９】
まず、岩石５５が岩石収納部５３に収納された台車５を炉１内に配置し、扉体１７を閉鎖して、バーナー２１に点火して岩石５５を加熱するとともに、シロッコファン３１を駆動させる。炉１内で発生した排気ガス（煙を含む。）は、シロッコファン３１により、排気口２０から煙道３に吸い込まれ、煙道３内を流れて熱交換器３２内に流入する。排気ガスの熱は、熱交換器３２内の流路４１を流れる水に奪われ、低温となった排気ガスは、排気吐出口３３から炉１外へ排出される。なお、排気ガスから得られる熱（排熱）が過剰でないときは、弁３５が開放され、弁３６が閉鎖されて、排気ガスはバイパス３４には流れない。排熱が過剰か否かは、温度センサー４２、４３で検知された水温により判断される。
【００２０】
熱交換器３２内で排気ガスと熱交換されることにより高温となった水は、流路４１を流れて、熱交換器４５内に流入する。流路４１内の水は、熱交換器４５内で、管４７から供給される水と熱交換され、温度が低下する。一方、管４７から供給された水は、温度が上昇し、管４８を経てボイラー４６に供給される。ボイラー４６は、温水浴やシャワー等のための温水、または、蒸気浴のための蒸気を生成するものであるが、供給される水が予め温められているので、燃料を節約できる。
【００２１】
なお、流路４１内の水の水温は熱交換器４５において低下するが、この低下の幅が熱交換器３２における水温の上昇幅よりも小さくなるように、熱交換器３２及び熱交換器４５は設計されている。したがって、熱交換器４５を経た後も、流路４１内の水は温水である。
【００２２】
熱交換器４５を経た流路４１内の水は、ヘッダー６１を経て、各分岐管６２に流入する。そして、床暖房装置６３に流入して放熱し、床を暖めるとともに、水温が低下する。床暖房装置６３を出た各分岐管６２内の水は、ヘッダー６４を経て管８３に集められ、再び熱交換器３２に戻る。
【００２３】
なお、温度センサー４２、４３で検知された水温により、排熱が過剰と判断されたときには、弁３５の開放度合いを小さくし、弁３６を適度に開放することにより、バイパス３４を介して排気ガスを逃がし、熱交換器３２を通る排気ガスの量を減少させる。これにより、排気ガスから得る熱が減少するので、流路４１内の水の過剰な温度上昇が抑制されて、床暖房の温度を適度に保つことができる。なお、床暖房装置６３に補助加熱装置を設け、岩石５５の加熱が行われていない時や加熱開始時等、床暖房に必要な程度の水温が確保できないときは、その補助加熱装置を使用して、各分岐管６２内の水を温めることとしてもよい。
【００２４】
岩石５５を所定時間または所定温度まで加熱した後、バーナー２１を消火する。そして、ギアードモータ１８を駆動して扉体１７を開き、ギアードモータ５４を駆動して台車５をサウナ室７内に移動し、扉体１７を閉じる。なお、シロッコファン３１は、バーナー２１の消火と共に停止させてもよいし、残余の排熱利用のため、しばらく駆動させてから停止させることとしてもよい。岩石５５が搬入されたサウナ室７内は、岩石５５が放出する熱により温度が上昇し、サウナ室７内の利用者は、岩石５５が放出する遠赤外線やマイナスイオン等により、身体の深部まで温められ新陳代謝が高められる。岩石５５がある程度冷えると、扉体１７を開き台車５を炉１内に移動して、扉体１７を閉鎖し、バーナー２１に点火し、シロッコファン３１を駆動させて、再び岩石５５を加熱する。
【００２５】
このように、本実施形態のサウナ施設では、電気に比べて安価な灯油を用いて岩石５５を加熱するので、加熱にかかる費用を削減できるのみならず、灯油燃焼時に生じる排熱を利用してボイラー４６の補助と床暖房とを行うので、ボイラー４６の燃料費と暖房費とを節約できる。したがって、ランニングコストを大幅に低減することができる。
【００２６】
なお、本実施形態では岩石５５を加熱するのに灯油を用いたが、重油、軽油等、灯油以外の鉱物油を用いてもよく、天然ガスや石炭を用いてもよい。
【００２７】
また、本実施形態では、ボイラー４６の補助と床暖房の両方を行ったが、排熱が十分でない場合等には、いずれか一方のみ行うこととしてもよい。また、流路４１内の水を利用して、床暖房以外の暖房を行ってもよい。
【００２８】
さらに、本実施形態では、排気ガスにより温められた水でボイラー４６に供給される水を温めることにより、ボイラー４６の補助を行ったが、排気ガスにより温められた水を直接ボイラー４６に供給することにより、ボイラー４６の補助を行うこととしてもよい。すなわち、ボイラー４６の補助の形態も変更可能である。
【００２９】
すなわち、特許請求の範囲を逸脱しない範囲で、本発明は種々の構成を採り得る。
【図面の簡単な説明】
【００３０】
【図１】本発明の一実施形態のサウナ施設の概略部分平面図である。
【図２】図１の炉と台車のII−II部位概略断面図である。
【図３】図１の炉と台車の概略正面図である。
【図４】同サウナ施設の概略構成図である。
【符号の説明】
【００３１】
１…炉
３…煙道
７…サウナ室
３２…熱交換器
４６…ボイラー
５５…岩石
６３…床暖房装置
【図１】
2006055288.tif 000003
【図２】
2006055288.tif 000004
【図３】
2006055288.tif 000005
【図４】
2006055288.tif 000006